(57)【特許請求の範囲】
【請求項１】
被検眼の眼底を照明する照明系と、この照明系により照明された眼底を撮像する撮影系とを備え、少なくとも２つの撮影モードの設定が可能となっているとともに撮影系の撮像装置のパラメータの更新が可能となっている眼底カメラであって、
撮影モードが切り換えられた際に、その撮影モードの切換直前のパラメータを記憶するメモリを設け、
撮影モードが元の撮影モードに戻された際、前記メモリに記憶されたパラメータで撮影が行われることを特徴とする眼底カメラ。
【請求項２】
前記パラメータは、照明系の照明光源の設定光量であることを特徴とする請求項１の眼底カメラ。
【請求項３】
前記照明光源の光量を設定する操作部の可動範囲に対する光量の設定範囲を変更可能にしたことを特徴とする請求項２の眼底カメラ。
【請求項４】
前記照明系の眼底の共役位置近傍に固視標を設け、この固視標を液晶表示器によって形成することを特徴とする請求項１の眼底カメラ。
【請求項５】
前記照明系の眼底の共役位置近傍に先端部が位置されるとともにその先端部がＸ,Ｙ,Ｚ方向に移動するように移動可能な視標棒を設け、前記先端部が点灯または点滅することを特徴とする請求項１の眼底カメラ。
【発明の詳細な説明】
【０００１】
【発明の属する技術分野】
この発明は、被検眼の眼底を撮像する眼底カメラに関する。
【０００２】
【従来技術】
従来から、赤外蛍光撮影と可視蛍光撮影とが行える眼底カメラが知られている。かかる眼底カメラは、撮影モードを変更するとその撮影モードに応じた設定光量値が自動設定され、その設定光量は撮影中に更新できるようになっている。
【０００３】
この眼底カメラでは、蛍光撮影の場合、蛍光造影剤を静注した直後は明るいため、少ない撮影光量で撮影を行うことができるが、所定時間が経過した以後は時間の経過とともに眼底に現れた蛍光剤が減少していくので、設定光量や撮像装置のゲインを時間の経過とともに増加させている。
【０００４】
【発明が解決しようとする課題】
ところで、このような眼底カメラにあっては、赤外蛍光撮影と可視蛍光撮影を交互に行う場合、撮影モードを切り換える毎に設定光量や撮像装置のゲインが初期化されてしまう。このため、設定光量やゲインであるパラメータを前回の撮影時の値付近に設定し直す必要があり、検者にとってその設定し直しの操作が非常に煩わしいという問題があった。
【０００５】
この発明は、上記問題点に鑑みてなされたもので、その目的は、撮影モードを切り換えても設定光量やゲインであるパラメータの設定をし直す必要のない眼底カメラを提供することにある。
【０００６】
【課題を解決するための手段】
上記目的を達成するため、請求項１の発明は、被検眼の眼底を照明する照明系と、この照明系により照明された眼底を撮像する撮影系とを備え、少なくとも２つの撮影モードの設定が可能となっているとともに撮影系の撮像装置のパラメータの更新が可能となっている眼底カメラであって、
撮影モードが切り換えられた際に、その撮影モードの切換直前のパラメータを記憶するメモリを設け、
撮影モードが元の撮影モードに戻された際、前記メモリに記憶されたパラメータで撮影が行われることを特徴とする。
【０００８】
請求項２の発明は、前記パラメータは、照明系の照明光源の設定光量であることを特徴とする。
【０００９】
請求項３の発明は、前記照明光源の光量を設定する操作部の可動範囲に対する光量の設定範囲を変更可能にしたことを特徴とする。
【００１０】
請求項４の発明は、前記照明系の眼底の共役位置近傍に固視標を設け、この固視標を液晶表示器によって形成することを特徴とする。
【００１１】
請求項５の発明は、前記照明系の眼底の共役位置近傍に先端部が位置されるとともにその先端部がＸ,Ｙ,Ｚ方向に移動するように移動可能な視標棒を設け、前記先端部が点灯または点滅することを特徴とする。
【００１２】
【実施形態】
以下、この発明に係る眼底カメラの実施形態を図面に基づいて説明する。
［第１実施形態］
図１に示す眼底カメラは、基台１０に取り付けられた本体１１を有し、この本体１１は基台１０とともにジョイスティック１２の操作によりベース台１３に対して前後左右方向に移動可能となっている。１５はジョイスティック１２に設けた撮影スイッチである。
【００１３】
基台１０の上面には操作パネル２１が設けられており、この操作パネル２１には、ＩＣＧ撮影モード,ＦＡＧ撮影モードおよび通常撮影モードのいずれかを設定する撮影モード設定スイッチＳ1と、後述するタイマ２３の計時を開始させるタイマスイッチＳ2と、キセノンランプの発光量を７通りに設定する７つの設定スイッチＳ3〜Ｓ9とが設けられている。また、操作パネル２１には他の操作を行うためのキースイッチが複数設けられている。
【００１４】
本体１１には、３５mmカメラ３０とＴＶリレーレンズユニット３１を介してＴＶカメラ３２とが設けられている。このＴＶカメラ３２は赤外の感度を有している。
【００１５】
本体１１内には、被検眼Ｅの眼底Ｅrを照明する照明光学系１００と、照明された眼底を観察・撮影する撮影光学系１３０とが設けられている。
【００１６】
照明光学系１００は、観察用光源であるハロゲンランプ１０１と、コンデンサレンズ１０２と、撮影用光源であるキセノンランプ１０３と、コンデンサレンズ１０４と、エキサイタフィルタ１０５,１０６と、被検眼の瞳孔と共役位置にあるリング開口１０７aを有するリング開口板１０７と、ミラー１０８と、眼底Ｅrと共役位置に配置された液晶表示器１０９と、リレーレンズ１１０と、孔開きミラー１１１と、対物レンズ１１２とを有している。エキサイタフィルタ１０５,１０６は光路から離脱可能に配置されており、可視蛍光撮影（ＦＡＧ撮影モード）のときにはエキサイタフィルタ１０５のみが光路に挿入され、赤外蛍光撮影（ＩＣＧ撮影モード）のときにはエキサイタフィルタ１０６のみが光路に挿入され、通常の撮影モードのときには両エキサイタフィルタ１０５,１０６は光路から離脱される。
【００１７】
液晶表示器１０９は、図３に示すように、ドットを表示して固視標１０９aを形成するものであり、このドットの表示位置を変えることにより視線を誘導させるものである。
【００１８】
照明光学系１００は、眼底観察時や通常の撮影時にハロゲンランプ１０１が点灯してコンデンサレンズ１０２,１０４を介してリング開口板１０７を照射する。リング開口板１０７のリング開口１０７aを通った光束は、ミラー１０８,液晶表示器１０９、リレーレンズ１１０,孔開きミラー１１１および対物レンズ１１２を介して被検眼に入射する。リング開口板１０７と瞳孔とは共役位置にあるので、瞳孔上にリング開口像が形成され、このリング開口像により眼底が照明されることとなる。
【００１９】
ところで、液晶表示器１０９は眼底Ｅrと共役位置にあるので、液晶表示器１０９のドット表示が固視標として眼底Ｅrに形成される。
【００２０】
蛍光撮影時には、キセノンランプ１０３が発光して上記と同様にして眼底Ｅrを照明する。
【００２１】
撮影光学系１３０は、対物レンズ１１２と、絞り１３１と、バリアフィルタ１３２,１３３と、合焦レンズ１３４と、撮影レンズ１３６とを備えている。バリアフィルタ１３２,１３３は光路から離脱可能に配置されており、ＦＡＧ撮影モードのときにはバリアフィルタ１３２のみが光路に挿入され、ＩＣＧ撮影モードのときにはバリアフィルタ１３３のみが光路に挿入され、通常の撮影モードのときには両バリアフィルタ１３２,１３３は光路から離脱される。
【００２２】
また、撮影光学系１３０は、ファインダ光学系１５０を備えており、ファインダ光学系１５０はクイックリターンミラー１５１とフィールドレンズ１５２と切換ミラー１５３と接眼レンズ１５４とを有している。フィールドレンズ１５２と３５mmカメラＫのフィルムＦとが共役位置にある。切換ミラー１５３は蛍光撮影モードのとき光路から離脱する位置へ切り換わる。クイックリターンミラー１５１はフィルム撮影モードのとき撮影スイッチ１５が押される毎に跳ね上がるようになっている。
【００２３】
ＴＶリレーレンズユニット３１は、リレーレンズ１４０と、ミラー１４１と、リレーレンズ１４２とを有している。
【００２４】
ＴＶカメラ３２は撮像素子を有し、この撮像素子上に結像される眼底像がモニタ４４に表示されるようになっている。また、その眼底像は図示しない画像記録装置によって記録されるようになっている。
【００２５】
図４は、眼底カメラの制御系の構成を示したブロック図である。図４において、２３は静注してから計時を開始させるタイマ、１６０はエキサイタフィルタ１０５,１０６の光路の離脱を行うソレノイド、１６１はバリアフィルタ１３２,１３３の光路の離脱を行うソレノイド、１６２はクイックリターンミラー１５１の跳ね上げを行うソレノイド、１６３は切換ミラー１５３の切り換えを行うソレノイドである。１６４は設定スイッチＳ3〜Ｓ9によって設定されるキセノンランプの発光量を記憶するメモリ、１６５は固視標の位置であるドットの番地を記憶するメモリである。２００は各スイッチＳ1〜Ｓ9やキーボード２０の操作キー(図示せず)等に基づいて各ランプ１０１,１０３やソレノイド１６０〜１６３等を制御する制御装置である。この制御装置２００はＣＰＵ等から構成されている。
【００２６】
次に、上記のように構成される眼底カメラの動作について説明する。
【００２７】
最初に、ＦＡＧ撮影モードとＩＣＧ撮影モードで眼底を撮影していく場合について説明する。
【００２８】
先ず、被検者ＡにＦＡＧ撮影用の蛍光造影剤を静注し、被検者ＢにＩＣＧ撮影用の蛍光造影剤を静注する。そして、図示しないメインスイッチを投入し、タイマスイッチＳ2をオンする。このタイマスイッチＳ2のオンによりタイマ２３が計時を開始していくとともに、メインスイッチの投入によりハロゲンランプ１０１が点灯する。
【００２９】
次に、設定スイッチＳ1により例えばＦＡＧ撮影モードを設定する。このＦＡＧ撮影モードの設定によりエキサイタフィルタ１０５およびバリアフィルタ１３２が光路に挿入されるとともに、キセノンランプ１０３の初期光量（パラメータ）Ｑ0が設定される。
【００３０】
そして、最初に被検者Ａの眼底の撮影を行う。先ず、検者はキーボード２０のキースイッチを操作して、液晶表示器１０９の所定のドットを表示させて被検者Ａの眼底Ｅrに固視標を投影させる。この固視標の投影により、被検者Ａの視線を所定位置に誘導させる。この液晶表示器１０９のドット表示の番地がメモリ１６５に記憶される。
【００３１】
被検者Ａの視線が所定位置に誘導されたのを見計らって撮影スイッチ１５を押す。すると、液晶表示器１０９のドット表示が消灯されるとともにキセノンランプ１０３が設定された初期光量Ｑ0で発光し、眼底Ｅrが照明される。他方、切換ミラー１５３が光路から離脱され、眼底Ｅrの反射光がＴＶカメラ３２の撮像素子に到達し、被検者Ａの眼底Ｅrが撮像される。この眼底像は、メモリ１６５に記憶された番地とともに図示しない画像記録装置に記憶される。
【００３２】
次に、被検者Ｂの撮影を行う。この場合、設定スイッチＳ1により撮影モードをＩＣＧ撮影モードに切り換える。ＩＣＧ撮影モードが設定されると、エキサイタフィルタ１０６およびバリアフィルタ１３３が光路に挿入されるとともに、キセノンランプ１０３の初期光量Ｑ0′が設定される。
【００３３】
そして、上記と同様にして液晶表示器１０９の所定のドットを表示させて被検者Ｂの眼底Ｅrに固視標を投影させる。この固視標の投影により、被検者Ｂの視線を所定位置に誘導させる。この液晶表示器１０９のドット表示の番地がメモリ１６５に記憶される。
【００３４】
被検者Ｂの視線が所定位置に誘導されたのを見計らって撮影スイッチ１５を押す。すると、液晶表示器１０９のドット表示が消灯されるとともにキセノンランプ１０３が設定された初期光量Ｑ0′で発光し、眼底Ｅrが照明される。他方、切換ミラー１５３が光路から離脱され、眼底Ｅrの反射光がＴＶカメラ３２の撮像素子に到達し、被検者Ｂの眼底Ｅrが撮像される。この眼底像は、メモリ１６５に記憶された番地とともに図示しない画像記録装置に記録される。このようにして、被検者Ａ,Ｂの眼底を交互に撮像していく。この場合、キセノンランプ１０３は発光量Ｑ0,Ｑ0′で発光していく。
【００３５】
今、例えばＦＡＧ撮影モードのＮ回目の撮影を行うとき、被検者Ａの眼底Ｅrから発する蛍光量が所定以下に減少してきた場合、検者は設定スイッチＳ1により撮影モードをＦＡＧ撮影モードに切り換えるとともに、例えば設定スイッチＳ3をオンしてキセノンランプ１０３の発光量を初期光量Ｑ0より大きい光量（パラメータ）Ｑ1に設定する。設定スイッチＳ3のオンによって設定された光量Ｑ1はメモリ１６４に記憶される。また、ＦＡＧ撮影モードにより、エキサイタフィルタ１０５およびバリアフィルタ１３２が光路に挿入される。
【００３６】
そして、撮影スイッチ１５を押すと、上記と同様にしてキセノンランプ１０３が設定された光量Ｑ1で発光して被検者Ａの眼底Ｅrが撮像される。この撮像された眼底像は、この撮像時直前の液晶表示器１０９のドット表示の番地とともに画像記録装置に記録される。
【００３７】
同様に、ＩＣＧ撮影モードのＮ回目の撮影を行うとき、被検者Ｂの眼底Ｅrから発する蛍光量が所定以下に減少してきた場合、検者は設定スイッチＳ1により撮影モードをＩＣＧ撮影モードに切り換えるとともに、例えば設定スイッチＳ3をオンしてキセノンランプ１０３の発光量を初期光量Ｑ0′より大きい光量Ｑ1′に設定する。設定スイッチＳ3のオンによって設定された光量Ｑ1′はメモリ１６４に記憶される。また、ＩＣＧ撮影モードにより、エキサイタフィルタ１０６およびバリアフィルタ１３３が光路に挿入される。
【００３８】
そして、撮影スイッチ１５を押すと、上記と同様にしてキセノンランプ１０３が設定された光量Ｑ1′で発光して被検者Ｂの眼底Ｅrが撮像され、この撮像された眼底像は、撮像時直前の液晶表示器１０９のドット表示の番地とともに画像記録装置に記録される。
【００３９】
この後、ＦＡＧ撮影モードのＮ＋１回目の撮影に入る。このとき、先ず、設定スイッチＳ1によりＦＡＧ撮影モードに切り換える。ＦＡＧ撮影モードが設定されると、上記と同様にしてエキサイタフィルタ１０５およびバリアフィルタ１３２が光路に挿入される。そして、メモリ１６４に記憶されている光量Ｑ1がキセノンランプ１０３の発光量として設定される。
【００４０】
撮影スイッチ１５を押すと、設定された光量Ｑ1でキセノンランプ１０３が発光して被検者Ａの眼底Ｅrが撮像され、この撮像された眼底像は、撮像時直前の液晶表示器１０９のドット表示の番地とともに画像記録装置に記録される。
【００４１】
ＩＣＧ撮影モードのＮ＋１回目の撮影も、上記と同様にして設定スイッチＳ1によりＩＣＧ撮影モードに切り換えると、エキサイタフィルタ１０６およびバリアフィルタ１３３が光路に挿入されるとともに、メモリ１６４に記憶されている光量Ｑ1′がキセノンランプ１０３の発光量として設定され、この設定された光量Ｑ1′でキセノンランプ１０３が発光して被検者Ｂの眼底Ｅrが撮像され、この撮像された眼底像は、撮像時直前の液晶表示器１０９のドット表示の番地とともに画像記録装置に記録される。
【００４２】
被検者Ａ,Ｂの眼底Ｅrから発する蛍光量がさらに減少してきた場合、検者は設定スイッチＳ4〜Ｓ9によりキセノンランプ１０３の発光量を光量Ｑ1,Ｑ1′より大きい光量Ｑ2〜Ｑ7,Ｑ2′〜Ｑ7′に設定すればよい。そして、撮影する毎に撮影モードを切り換えても、この設定光量Ｑ2〜Ｑ7,Ｑ2′〜Ｑ7′でキセノンランプ１０３が発光して被検者Ａ,Ｂの眼底Ｅrが撮像されていく。なお、設定光量Ｑの更新はタイマ２３が作動中であれば、いつでも可能である。
【００４３】
このように、設定スイッチＳ1によって撮影モードを切り換えても、初期光量Ｑ0,Ｑ0′に戻ってしまうことなく、メモリ１６４に記憶された設定光量Ｑ1,Ｑ1′でキセノンランプ１０３が発光されていくので、従来のように、撮影モードを切り換える毎に撮影光量を設定し直す必要がない。
【００４４】
また、キセノンランプ１０３が発光されるとき、液晶表示器１０９のドット表示が消灯されるので、撮像された眼底像に固視標が写し込まれてしまうことがなく、しかも、そのドット表示の番地が眼底像とともに記録されるので、どの位置に固視標を提示して撮像したものかが分かる。このため、後日同じ部位の眼底を撮像することが可能となる。
［第２実施形態］
図５は第２実施形態の眼底カメラの制御系の構成を示したブロック図である。
この第２実施形態では、設定光量の更新の他にＴＶカメラ３２のゲイン（パラメータ）、ガンマ（パラメータ）、ホワイトバランス（パラメータ）についてもキーボード２０のキースイッチの操作によって更新できるようにするとともに、撮影モードが切り換えられた際に、前回撮影のゲイン,ガンマ,ホワイトバランスで撮影が行われるようにしたものである。
【００４５】
この第２実施形態の制御装置２００は、キーボード２０のキースイッチの操作によってゲイン、ガンマ、ホワイトバランス等が更新されたとき、それら更新内容の信号をＴＶカメラ３２の制御装置３００に送信するようになっている。
【００４６】
制御装置３００は、制御装置２００から送信された信号に基づいてゲイン設定手段３０２,ガンマ設定手段３０３,ホワイトバランス設定手段３０４を制御して、ゲイン,ガンマ,ホワイトバランスを更新するとともに、メモリ３０１にその更新内容を記憶させる。そして、制御装置３００は、撮影モードが例えばＩＣＧ撮影モードからＦＡＧ撮影モードに切り換えられた場合、前回のＦＡＧ撮影モード時のゲイン,ガンマ,ホワイトバランス、つまりメモリ３０１に記憶されている更新したゲイン,ガンマ,ホワイトバランスを読み出して設定するものである。
【００４７】
そして、ＴＶカメラ３２は、更新したゲイン,ガンマ,ホワイトバランスで眼底を撮像する。
【００４８】
この場合もゲイン,ガンマ,ホワイトバランスの更新はタイマ２３が作動している期間中行えるようにし、タイマ２３が作動していない場合には撮影モードが切り換えられた際にゲイン,ガンマ,ホワイトバランスの値は初期値に設定されるようになっている。
［第３実施形態］
図６は第３実施形態を示したものであり、この第３実施形態では設定スイッチＳ3〜Ｓ9の替わりに調光用の２つのスライドスイッチ４００,４０１を設けて光量Ｑの設定を行うようにしたものである。
【００４９】
スライドスイッチ４００は、スライドレバー４００aをＭＩＮからＭＡＸの移動範囲を移動させることにより光量Ｑの設定範囲を大きくとれるようになっている。スライドスイッチ４０１は微調整用であり、スライドレバー４００aの位置で設定される光量Ｑの値がスライドスイッチ４０１の中心位置に設定され、スライドレバー４０１aを移動させることによりＱ±ΔＱが設定される。ΔＱはスライドレバー４０１aの移動量に応じて増減するが、その増減の値は小さく設定されている。
【００５０】
図７は他の例のスライドスイッチ４１０を示したものであり、このスライドスイッチ４１０は、スライドレバー４１０aの移動範囲（Ａ〜Ｂ）で設定される光量の範囲を変えるようにして、設定範囲を大きくとれるようにしたものである。
例えば、スライドレバー４１０aの移動範囲（Ａ〜Ｂ）では、設定光量はＱ1〜Ｑ2まで設定するようになっており、スライドレバー４１０aをＢの位置まで移動させ、この位置Ｂから位置Ａまでの移動により、設定光量はＱ2〜Ｑ3まで設定できるようにしたものである。
【００５１】
スライドレバー４１０aの移動範囲（Ａ〜Ｂ）で設定光量がＱ1〜Ｑ2まで設定できるようになっているとき、逆に、スライドレバー４１０aをＡの位置まで移動させ、この位置Ａから位置Ｂまでの移動により、設定光量はＱ1〜Ｑ0まで設定できるようにしたものである。
【００５２】
このようにすることにより、微調整のし易さを確保しながら設定光量Ｑの範囲を大きくとることができる。
［第４実施形態］
図８は第４実施形態を示したものであり、この第４実施形態のものは液晶表示器１０９の替わりに固視標表示装置５００を設けたものである。
【００５３】
この固視標表示装置５００は、図示しない合焦ハンドルに連動して光軸方向（Ｚ方向）に沿って移動する筺体５０１と、この筺体５０１内にＸＹ方向に移動可能に設けられた保持部材５０２と、この保持部材５０２に保持された光ファイバー５０３と、この光ファイバー５０３に光を送り込むＬＥＤ等とを備えている。保持部材５０２はハンドル５０４の操作によってＸＹ方向に移動するものであり、この保持部材５０２のＸＹ方向の移動により光ファイバー５０３の先端５０３aをＸＹ方向に移動させるものであり、この先端５０３aは眼底Ｅrと共役位置にある。そして、その先端５０３aから射出される光が眼底Ｅrで結像し、その光によって被検者の視線を誘導させる。
【００５４】
ＬＥＤと光ファイバ５０３の後端５０３bとの間には左右方向（図８において）にスライド可能なホルダ５０５が設けられており、ホルダ５０５には３つのフィルタＦ1〜Ｆ3が取り付けられている。フィルタＦ1〜Ｆ3は光の透過特性がそれぞれ異なり、ホルダ５０５をスライド移動させることにより光ファイバ５０３の先端５０３aから射出される光の色を選択できるようになっている。また、ＬＥＤの輝度や点滅の周波数が調整できるようになっている。
【００５５】
この第４実施形態によれば、固視標位置を眼底像とともに撮像することができ、また、輝点像の点滅を感じなくなる波長を確認することができる。また、被検者の見えやすい色の視標を提示することができ、その明るさを調整することができる。
【００５６】
【発明の効果】
この発明によれば、撮影モードを切り換えてもパラメータの設定をし直す必要がなく、このため非常に使い勝手の良いものとなる。
【図面の簡単な説明】
【図１】この発明に係る眼底カメラの外観を示した斜視図である。
【図２】この発明に係る眼底カメラの光学系の構成を示した光学配置図である。
【図３】液晶表示器を示した説明図である。
【図４】図１の眼底カメラの制御系の構成を示したブロック図である。
【図５】第２実施形態の眼底カメラの制御系の構成を示したブロック図である。
【図６】第３実施形態を示した説明図である。
【図７】第３実施形態の他の例を示した説明図である。
【図８】第４実施形態を示した説明図である。
【符号の説明】
１６４                 メモリ
２００                 制御装置
Ｓ1                  設定スイッチ
【図２】
0004629868.tif 000002
【図３】
0004629868.tif 000003
【図４】
0004629868.tif 000004
【図５】
0004629868.tif 000005
【図６】
0004629868.tif 000006
【図７】
0004629868.tif 000007
【図８】
0004629868.tif 000008
【図１】
0004629868.tif 000009